(57)【特許請求の範囲】
【請求項１】
少なとも二枚の複写伝票を重ね合わせてなり、最上位の伝票は、所定事項の印字記入部と署名記入部とを備え、最上位の伝票の下位に位置する伝票は、最上位の伝票の印字記入部と署名記入部に対応位置した印字記入部と署名記入部とを備えて前記最上位の伝票の印字記入部と署名記入部への記入内容が複写される複写構成を有し、かつ、前記下位の伝票は上位の伝票に隠蔽されて複写構成を有するカード名義人名前印字記入部を有し、このカード名義人名前印字記入部を備える伝票の上位である前記最上位の伝票には、前記カード名義人名前印字記入部に対応位置してスポット減感処理、あるいは地紋印刷を施してなる非表示部を備えてなることを特徴とする複写帳票。
【請求項２】
カード名義人の名前を非表示としたクレジットカードに記憶されたカード名義人情報に基づいてクレジットカード情報管理機関側から通信で送出したカード名義人の名前を、請求項１の複写帳票のカード名義人名前印字記入部に対して最上位の伝票側から印字出力し、下位に位置するカード名義人名前印字記入部を隠蔽した状態で最上位の伝票の署名記入部に署名して記入された名前と下位に位置するカード名義人名前印字記入部の名前とを比較することを特徴とするカード名義人の認証方法。
【発明の詳細な説明】
【０００１】
【発明の属する技術分野】
本発明は複写帳票とこれを用いたカード名義人の認証方法に関するものである。
【０００２】
【発明が解決しようとする課題】
従来からクレジットカードにあっては、カード名義人がクレジットカードの発行を受けた時点でその裏面の所定記入部にカード名義人自身が名前を記載するようにしている。そして、このクレジットカードを用いた支払いに際しては、クレジットカードのエンボス部を所定の帳票、即ち、複写帳票に当てがってエンボス部で表現されてるカード情報を複写帳票側に複写するようにしている。このクレジットカードでの支払い時に使用される前記複写帳票は複数枚の伝票が重ね合わされたもので、例えば、クレジット会社用の売上票、加盟店控、お客様控などとなる複数枚の伝票から構成され、各伝票にはクレジット決済の対象とした商品サービス情報やカード情報などの所定事項を印字するための印字記入部を備えて、重ね合わせ状態で同一となるようにし、最上位の伝票における前記印字記入部に情報が印字された場合に、その情報が下位の伝票における所定事項の印字記入部にも複写されるようにしている。この構成であるため、前述したようにクレジットカードのエンボス部を当てがって複写操作することで、カードのエンボス部で表現されたカード情報が各伝票に同時複写される。なお、最上位の伝票に対しては複写シートを介してエンボス部の情報を写し込むことになるが、前記エンボス部に帳票を当てることなく、プリンタ装置にて帳票側に情報出力することも多く行われている。
そして、このようにして発行される複写帳票にはカード名義人が署名する署名記入部があって、そこにカード名義人が署名し、その署名とクレジットカード側の署名やクレジットカードのエンボス部の写し込みによりなる情報とを比較して本人確認を行なうようにしていた。
【０００３】
しかしながら、クレジットカード自体にカード名義人の名前を予め署名したりエンボス表示していることからつぎの問題が生じている。即ち、正規のカード名義人がクレジットカードを紛失し、そのクレジットカードを拾った他人が正規のカード名義人になりすましてクレジットカードを使用した場合、カードに記載されている署名などをまねて複写帳票に署名することを防止できないという問題があった。
そこで本発明は上記事情に鑑み、クレジットカード自体にカード名義人の名前を記載しないようにしてもそのクレジットカードを用いた支払いに応じて発行した複写帳票で本人確認が行なえるようにすることを課題とし、他人によるクレジットカードの不正使用を防止することを目的とする。
【０００４】
【課題を解決するための手段】
本発明は上記課題を考慮してなされたもので、少なとも二枚の複写伝票を重ね合わせてなり、最上位の伝票は、所定事項の印字記入部と署名記入部とを備え、最上位の伝票の下位に位置する伝票は、最上位の伝票の印字記入部と署名記入部に対応位置した印字記入部と署名記入部とを備えて前記最上位の伝票の印字記入部と署名記入部への記入内容が複写される複写構成を有し、かつ、前記下位の伝票は上位の伝票に隠蔽されて複写構成を有するカード名義人名前印字記入部を有し、このカード名義人名前印字記入部を備える伝票の上位である前記最上位の伝票には、前記カード名義人名前印字記入部に対応位置してスポット減感処理、あるいは地紋印刷を施してなる非表示部を備えてなることを特徴とする複写帳票を提供して、上記課題を解消するものである。
また、もう一つの発明は、カード名義人の名前を非表示としたクレジットカードに記憶されたカード名義人情報に基づいてクレジットカード情報管理機関側から通信で送出したカード名義人の名前を、請求項１の複写帳票のカード名義人名前印字記入部に対して最上位の伝票側から印字出力し、下位に位置するカード名義人名前印字記入部を隠蔽した状態で最上位の伝票の署名記入部に署名して記入された名前と下位に位置するカード名義人名前印字記入部の名前とを比較することを特徴とするカード名義人の認証方法を提供して上記課題を解消するものである。
【０００５】
【発明の実施の形態】
つぎに本発明を図１から図３に示す実施の形態に基づいて詳細に説明する。
図中１は複写帳票を示し、図１に示されたものでは複数単位が切取り部２を介して連続した形態となっていて、各単位において前記複写帳票１はカード名義人がお客様控えとして受け取ることになる売上伝票控３とクレジットカード会社側が取り扱うことになる売上伝票４とが重ね合わされたものであり、複数が連続している売上伝票控３を上位としその下位に複数が連続している売上伝票４を位置させ、単位同士に対応させている。
【０００６】
売上伝票控３と売上伝票４とは上下で重なり合うようにそれぞれ同位置にして所定事項の印字記入部５と署名記入部６とを備えている。所定事項の印字記入部５はクレジットカードでの支払い対象とする商品情報やサービス情報が印字される場所であり、署名記入部６はカード名義人が名前を書き込む場所であり、上位の売上伝票控３の印字記入部５と署名記入部６とにそれぞれ情報の印字、名前の記入を行なうことで、その内容が下位の売上伝票４における印字記入部５と署名記入部６にも複写される複写構成を備えている。さらに、前記売上伝票控３と売上伝票４との両伝票にはカード番号記載記入部７、カード有効期限表示記入部８、伝票番号記載記入部９も設けられており、これらにおいても上位の売上伝票控３側からの情報記載で下位の売上伝票４側にカード番号、有効期限、伝票番号が複写されるようにしている。
なお、この複写帳票１は、上記署名記入部６以外の情報出力をインパクトプリンタ装置を用いて行なう発行形態に対応したものであるが、カード番号記載記入部７やカード有効期限表示記入部８への情報記載を、クレジットカードのエンボス部を当てがって写し込む発行形態のものとすることも可能である。
【０００７】
さらに上記売上伝票控３にあっては、署名記入部６の下段となる位置にカード名義人情報を視認困難にする非表示部１０を備えているとともに、売上伝票４の前記非表示部１０に対応する位置にカード名義人名前印字記入部１１を備えていて、この複写帳票１を発行するに際してクレジットカード情報管理機関（例えばクレジットカード会社）側から通信で送出したカード名義人の名前を売上伝票控３側からインパクトプリンタ装置にて出力したときに、前記非表示部１０には情報を表示せず、下位のカード名義人名前印字記入部１１にのみ名前を複写記載するように設けられており、複写記載により名前が表示された状態となったカード名義人名前表示記入部１１が非表示部１０で隠蔽されて、カード名義人名前表示記入部１１での名前は、売上伝票控３を捲り上げない限り見えないようにしている。
【０００８】
売上伝票控３側からのインパクトプリンタ装置を用いた情報出力に際して、下位のカード名義人名前印字記入部１１にのみ名前が表示されるようにする方法の一つとして、上位の売上伝票控３においてその表面がインパクトプリンタ装置のインパクト印字により自己発色するものである場合、上記非表示部１０にはスポット減感処理を施して自己発色しないようにする方法があり、図３（イ）の断面で示されているように売上伝票控３は基材３ａの上面に自己発色層３ｂを配し、さらに所要の位置において前記自己発色層３ｂの上に減感インキ１０ａを施すことで非表示部１０を形成し、売上伝票４にあっては基材４ａの上面に自己発色層４ｂを設けたものとする。
また、売上伝票控３に対してインクリボンを用いて情報印字が行われる場合には、非表示部１０に地紋印刷を施して情報表示が視認困難な状態となるようにすればよく、図３（ロ）に示されているように売上伝票３の基材３ａの下面に顕色剤カプセル層３ｃを設けるとともに、その基材３ａの上面の所要位置に地紋印刷１０ｂを施して非表示部１０を設け、一方、売上伝票４は基材４ａの表面にクレーよりなる発色剤層４ｃを設けるようにすればよい。
上記構造を有することで複写帳票１が発行されて売上伝票控３側から署名記入部６に名前を記入する時には、カード名義人名前印字記入部１１に記載されている名前が隠蔽されたものとなり、後述するように署名記入部６とカード名義人名前印字記入部１１との名前を比較できるものとなる。
【０００９】
上記構造の複写帳票１によりカード名義人の認証を行なうに際しては、まず、カード名義人の名前を非表示としたクレジットカードを用いるものであり、正規のカード名義人のみが署名記入部６に記入する正規の名前を知っているようにする。このようにクレジットカード自体にカード名義人の名前が表示されていないことから、クレジットカードを不正に入手した者にはその正規の名前を知ることができないようにする。
そして、複写帳票１の発行に際して、クレジット支払いの対象となるサービスや商品に係る情報をこの複写帳票１に出力するとともに、前記クレジットカードに記録されているカード情報に基づいてクレジットカード情報管理機関側から通信で送出したカード名義人の名前を、カード名義人名前印字記入部１１に対して売上帳票控３側から印字出力し、カード名義人名前印字記入部１１に記載する。こののち、クレジットカードによる支払いの申込を行なった者に対して、署名記入部６に名前を記入してもらい、売上伝票４における署名記入部６に前記名前を複写記入させる。なお、この時点ではカード名義人名前印字記入部１１の情報は非表示部１０で覆われていて見ることができない。
【００１０】
これによって、図２に示されているように、売上伝票４ではカード支払いを申し込んだ者が署名記入部６に記入した名前１２と予めクレジットカード情報管理機関側からの情報でカード名義人名前印字記入部１１に記載された名前１３とが示されることになり、この両方の名前１２、１３が一致するかどうかでカード名義人の認証確認が行なえるものとなる。即ち、名前が記載されていないクレジットカードを不正に用いようとした場合でも、複写帳票１における署名記入部１１に記載すべき正規の名前を知り得ないため、他人のクレジットカードの不正使用を抑止し、また、前記名前１２、１３が相違した場合にはその時点で、クレジットカードの不正使用を確認できるものとなる。
【００１１】
【発明の効果】
以上説明した本発明の複写帳票によれば、少なとも二枚の複写伝票を重ね合わせてなり、最上位の伝票は、所定事項の印字記入部と署名記入部とを備え、最上位の伝票の下位に位置する伝票は、最上位の伝票の印字記入部と署名記入部に対応位置した印字記入部と署名記入部とを備えて前記最上位の伝票の印字記入部と署名記入部への記入内容が複写される複写構成を有し、かつ、前記下位の伝票は上位の伝票に隠蔽されて複写構成を有するカード名義人名前印字記入部を有し、このカード名義人名前印字記入部を備える伝票の上位である前記最上位の伝票には、前記カード名義人名前印字記入部に対応位置してスポット減感処理、あるいは地紋印刷を施してなる非表示部を備えてなることを特徴とするものである。このように、最上位の伝票によって隠蔽状態となる下位の伝票にカード名義人名前印字記入部を設けているので、簡易な構成で署名者からそのカード名義人名前印字記入部に記載されている情報を見えないようにすることができ、その署名の後の認証作業において、下位の伝票におけるカード名義人名前印字記入部と署名記入部との記載を見比べるだけで認証の判断が簡単になる。
また、もう一つの発明であるカード名義人の認証方法によれば、カード名義人の名前を非表示としたクレジットカードに記憶されたカード名義人情報に基づいてクレジットカード情報管理機関側から通信で送出したカード名義人の名前を、請求項１の複写帳票のカード名義人名前印字記入部に対して最上位の伝票側から印字出力し、下位に位置するカード名義人名前印字記入部を隠蔽した状態で最上位の伝票の署名記入部に署名して記入された名前と下位に位置するカード名義人名前印字記入部の名前とを比較することを特徴とするものであり、クレジットカード自体に名前が記載されていないため、上記複写帳票における署名に対して正規の名前を署名することができず、他人のカードの不正使用を抑止し、また、署名にてその不正使用を簡単に発見できるようになるなど、実用性に優れた効果を奏するものである。
【図面の簡単な説明】
【図１】本発明に係る複写帳票の一例を示す説明図である。
【図２】一例において署名した後の状態を分離して説明する説明図である。
【図３】売上伝票控と売上伝票との構成を断面で示す説明図である。
【符号の説明】
１…複写帳票
３…売上伝票控
４…売上伝票
５…所定事項の印字記入部
６…署名記入部
１０…非表示部
１１…カード名義人名前印字記入部
【図１】
0004452376.tif 000002
【図２】
0004452376.tif 000003
【図３】
0004452376.tif 000004